(57)【要約】      （修正有）【課題】津波のような高い波に対抗し得る高さや強度を保持する防波堤を容易に建造できるようにする。【解決手段】防波堤１において、複数の中空パイプ６を中空部７において上下に伸延させた補強材８で上下に連結して構成体３を形成するとともに、複数の構成体３を左右に密着させて並設する構成とした。また、左右に並設した複数の構成体３の海側の側面を左右に伸延させた複数本の連結材５ａ、５ｅなどで上下に間隔をあけて連結したので、防波堤の強度を増大させることができるとともに消波作用も発揮することできる。さらに、連結材５ａ、５ｅなどを水平に対して傾斜させて海水の滞留を防ぎ、連結材の腐蝕を防止した。【選択図】図３
2012233364.tif 000002
【特許請求の範囲】
【請求項１】
複数の中空パイプを中空部において上下に伸延させた補強材で上下に連結して構成体を形成するとともに、複数の構成体を左右に密着させて並設したことを特徴とする防波堤。
【請求項２】
前記左右に並設した複数の構成体の海側の側面を左右に伸延させた複数本の連結材で上下に間隔をあけて連結したことを特徴とする請求項１に記載の防波堤。
【請求項３】
前記連結材を水平に対して傾斜させたことを特徴とする請求項２に記載の防波堤。
【発明の詳細な説明】
【技術分野】
【０００１】
本発明は、防波堤に関するものである。
【背景技術】
【０００２】
従来より、海岸から高波が陸地へ進入するのを防止するために、海岸線近傍に防波堤を建造するようにしている。
【０００３】
従来の防波堤は、海岸線近傍に横置きした複数のコンクリートブロックを上下に積載し、上下のコンクリートブロックを連結材で連結した構成となっている（たとえば、特許文献１参照。）。
【先行技術文献】
【特許文献】
【０００４】
【特許文献１】特開２００６−２３３４６３号公報
【発明の概要】
【発明が解決しようとする課題】
【０００５】
ところが、上記従来の防波堤では、津波のような高い波に対抗するために複数のコンクリートブロックを上下に積載する必要があるが、各コンクリートブロックの重量が重く、コンクリートブロックの積載といった建設作業に多大な労力を要していた。
【０００６】
また、上記従来の防波堤では、津波のような非常にエネルギーの高い波が衝突した場合に、上下のコンクリートブロックが前後にずれてしまい、簡単に崩れてしまうおそれがあった。
【０００７】
このように、従来においては、津波に対抗し得る強度や高さの防波堤を建造することが困難であった。
【課題を解決するための手段】
【０００８】
そこで、請求項１に係る本発明では、防波堤において、複数の中空パイプを中空部において上下に伸延させた補強材で上下に連結して構成体を形成するとともに、複数の構成体を左右に密着させて並設することにした。
【０００９】
また、請求項２に係る本発明では、前記請求項１に係る本発明において、前記左右に並設した複数の構成体の海側の側面を左右に伸延させた複数本の連結材で上下に間隔をあけて連結することにした。
【００１０】
また、請求項３に係る本発明では、前記請求項２に係る本発明において、前記連結材を水平に対して傾斜させることにした。
【発明の効果】
【００１１】
そして、本発明では、以下に記載する効果を奏する。
【００１２】
すなわち、本発明では、防波堤において、複数の中空パイプを中空部において上下に伸延させた補強材で上下に連結して構成体を形成するとともに、複数の構成体を左右に密着させて並設することにしているために、防波堤の強度を保持しながら容易に建設することができる。
【００１３】
特に、左右に並設した複数の構成体の海側の側面を左右に伸延させた複数本の連結材で上下に間隔をあけて連結することにした場合には、防波堤の強度を増大させることができるとともに、上下に並べた連結材が消波作用を発揮して波から受ける力を緩和することができる。
【００１４】
また、連結材を水平に対して傾斜させることにした場合には、連結材の上面に海水が残留するのを防止して連結材の腐食を防止することができる。
【図面の簡単な説明】
【００１５】
【図１】防波堤を示す斜視図。
【図２】防波堤を示す正面図（ａ）、側面図（ｂ）、背面図（ｃ）。
【図３】防波堤を示す一部切欠拡大平面図。
【発明を実施するための形態】
【００１６】
以下に、本発明に係る防波堤の具体的な構成について図面を参照しながら説明する。
【００１７】
図１〜図３に示すように、防波堤１は、海岸線近傍に形成した基礎２の上部に複数の柱状の構成体３を前後及び左右に密着させて並設し、上端部を矩形板状の天板４で覆設するとともに、左右に並ぶ構成体３を連結材5a〜5hで連結した構成となっている。
【００１８】
構成体３は、中空パイプ６（ここでは、中空状の角パイプ。）を中空部７において基礎２から天板４までの長さで上下に伸延させた補強材８（ここでは、レール鋼。）で上下に連結した構成となっている。なお、構成体３は、中空部７にコンクリート等を打設してもよい。
【００１９】
ここで、補強材８は、中空パイプ６の中空部７の周面に沿って複数本並べ、中空部７の周面に溶接又はボルト等で締結している。
【００２０】
このように、上下に伸延させた補強材８で中空パイプ６を上下に連結することで構成体３を形成しているために、補強材８の長さを長くして上下に連結する中空パイプ６の個数を多くすることで、構成体３の高さを容易に高くすることができる。
【００２１】
防波堤１は、上記構成体３を左右に密着させた状態で並べるとともに、前後の構成体３を左右に半個分だけずらして前後３列に並べて構成している。
【００２２】
そのため、前後や左右に並べる構成体３の本数を増減することでサイズの異なる防波堤１を容易に形成することができる。
【００２３】
左右に並べた構成体３は、海側の側面（防波堤１の正面側）及び陸側の側面（防波堤１の背面側）において、左右に伸延させた連結材5a〜5h（ここでは、レール鋼。）で連結している。各連結材5a〜5hは、構成体３の側面に溶接又はボルト等で締結している。
【００２４】
連結材5a〜5hは、構成体３に上下に間隔をあけて取付けている。ここで、海側の側面では、上から１番目の連結材5aを水平よりも右下向きに傾斜させ、２番目の連結材5bを水平よりも左下向きに傾斜させ、３番目の連結材5cを水平よりも右下向きに傾斜させ、４番目の連結材5dを水平よりも左下向きに傾斜させ、上下の連結材5a〜5dを交互に逆向きに傾斜させ、一方、陸側の側面では、上から１番目の連結材5eを水平よりも右下向きに傾斜させ、２番目の連結材5fを水平よりも左下向きに傾斜させ、３番目の連結材5gを水平よりも右下向きに傾斜させ、４番目の連結材5hを水平よりも左下向きに傾斜させ、上下の連結材5e〜5hを交互に逆向きに傾斜させるとともに、海側と陸側の前後の連結材5a〜5hを互いに逆向きに傾斜させている。
【００２５】
以上に説明したように、上記防波堤１は、複数の中空パイプ６を中空部７において上下に伸延させた補強材８で上下に連結して構成体３を形成するとともに、複数の構成体３を左右に密着させて並設した構成となっている。
【００２６】
そのため、上記構成の防波堤１では、津波のような高い波に対抗し得る高さや強度を保持する防波堤１を容易に建設することができる。
【００２７】
また、上記防波堤１は、左右に並設した複数の構成体３の海側及び陸側の側面を左右に伸延させた複数本の連結材5a〜５hで上下に間隔をあけて連結した構成となっている。
【００２８】
そのため、上記構成の防波堤１では、連結材5a〜5hによって防波堤１の強度を増大させることができるとともに、上下に並べた連結材5a〜5hが消波作用を発揮して防波堤１（構成体３）が波から受ける力を緩和することができる。
【００２９】
特に、上記防波堤１は、連結材5a〜5hを水平に対して傾斜させることで、連結材5a〜5hの上面に海水が残留するのを防止して連結材5a〜5hの腐食を防止している。
【００３０】
また、上記防波堤１は、上下の連結材5a〜5hを左右逆向きに傾斜させることで、連結材5a〜5hの上面で海水を左右にバランス良く排出することができるとともに、斜め方向から衝突する波に対しても消波作用を発揮させることができる。
【００３１】
なお、上記防波堤１では、天板４に走行レールを取付けて検査用や運搬用のクレーン等を走行可能に設置することもできる。
【符号の説明】
【００３２】
１  防波堤
２  基礎
３  構成体
４  天板
5a〜5h  連結材
６  中空パイプ
７  中空部
８  補強材
【図１】
2012233364.tif 000003
【図２】
2012233364.tif 000004
【図３】
2012233364.tif 000005
【手続補正書】
【提出日】平成23年8月30日(2011.8.30)
【手続補正１】
【補正対象書類名】特許請求の範囲
【補正対象項目名】全文
【補正方法】変更
【補正の内容】
【特許請求の範囲】
【請求項１】
複数の中空パイプを中空部において上下に伸延させた補強材で上下に連結して構成体を形成するとともに、複数の構成体を左右に密着させて並設した防波堤において、
前記左右に並設した複数の構成体の海側の側面を左右に伸延させた複数本の連結材で上下に間隔をあけて連結したことを特徴とする防波堤。
【請求項２】
前記連結材を水平に対して傾斜させたことを特徴とする請求項１に記載の防波堤。
【手続補正２】
【補正対象書類名】明細書
【補正対象項目名】０００９
【補正方法】変更
【補正の内容】
【０００９】
また、請求項１に係る本発明では、前記左右に並設した複数の構成体の海側の側面を左右に伸延させた複数本の連結材で上下に間隔をあけて連結することにした。
【手続補正３】
【補正対象書類名】明細書
【補正対象項目名】００１０
【補正方法】変更
【補正の内容】
【００１０】
また、請求項２に係る本発明では、前記請求項１に係る本発明において、前記連結材を水平に対して傾斜させることにした。